(57)【要約】【課題】電力用保護リレー装置の操作表示パネルに、指定された事故履歴を選択表示する際に、指定された事故の発生当時におけるリレー状態を事故発生時そのままの状態で再現して表示することのできる事故履歴表示装置を得ること。【解決手段】操作表示パネルで行われた釦操作の内容を判定する操作判定部３と、操作判定部３の判定結果が事故履歴の表示指定であるとき、リレー事故履歴記録領域６から該表示指定の事故履歴に関わるＬＥＤ表示情報を含むリレー内部情報を取得する表示情報取得部５と、表示情報取得部５が取得したＬＥＤ表示情報を含むリレー内部情報を操作表示パネルが備えるＬＥＤ７とＬＣＤ８とに表示する制御を行う表示制御部４とを備えている。【選択図】        図１
2010028931.tif 000002
【特許請求の範囲】
【請求項１】
電力用保護リレー装置において、操作表示パネルで行われた釦操作の内容を判定する釦操作判定部と、前記釦操作判定部の判定結果が事故履歴の表示指定であるとき、事故履歴記録領域から該表示指定の事故履歴に関わる故障表示ランプの表示情報を含むリレー内部情報を取得する表示情報取得部と、前記表示情報取得部が取得した前記故障表示ランプの表示情報を含むリレー内部情報を前記操作表示パネルが備える故障表示ランプと表示器とに表示する制御を行う表示制御部と、を備えていることを特徴とする事故履歴表示装置。
【請求項２】
前記表示情報取得部は、前記釦操作判定部の判定結果が事故履歴の保存指定であるとき、該保存指定の事故履歴を前記事故履歴記録領域から取得して事故履歴保存領域に転送保存することを特徴とする請求項１に記載の事故履歴表示装置。
【請求項３】
前記表示情報取得部は、前記釦操作判定部の判定結果が複数回の再閉路が行われた事故のいずれか１つの事故を指定した事故履歴の表示指定であるとき、該当事故発生時の事故履歴に関わる故障表示ランプの表示情報を含むリレー内部情報を前記事故履歴記録領域から取得して前記表示制御部に出力することを特徴とする請求項１に記載の事故履歴表示装置。
【請求項４】
前記表示情報取得部は、前記事故履歴記録領域にアクセスして表示指定された事故履歴の表示を終了した際、リレー内部情報取得保存部に、当該事故履歴の表示中に生じたリレー動作による故障表示ランプの表示情報を含むリレー内部情報が保存されている場合は、表示指定された事故履歴の表示を終了すると、直ちにアクセス対象を切り替えて前記リレー内部情報取得保存部から前記故障表示ランプの表示情報を含むリレー内部情報を取得し前記表示制御部に出力することを特徴とする請求項１に記載の事故履歴表示装置。
【請求項５】
前記表示情報取得部は、前記事故履歴記録領域にアクセスして表示指定された事故履歴の表示中に、事故発生通知を受けたときは、当該事故履歴の表示を中止し、直ちにリレー内部情報取得保存部に保存されている当該通知を受けた発生事故に関わる故障表示ランプの表示情報を含むリレー内部情報を前記表示制御部に出力することを特徴とする請求項１に記載の事故履歴表示装置。
【請求項６】
前記操作表示パネルにおいて点灯している故障表示ランプの表示情報を取得する故障表示ランプ表示情報取得部と、前記故障表示ランプ表示情報取得部が取得した点灯している故障表示ランプの中で予め定めた時間を超えて継続点灯している故障表示ランプの有無を判定し、予め定めた時間を超えて継続点灯している故障表示ランプが存する場合は該故障表示ランプの消灯指令を前記表示制御部に出力する故障表示ランプ表示情報判定部と、を備えていることを特徴とする請求項１〜５のいずれか１つに記載の事故履歴表示装置。
【発明の詳細な説明】
【技術分野】
【０００１】
この発明は、電力用保護リレー装置の操作表示パネルに事故履歴の再現表示を行う事故履歴表示装置に関するものである。
【背景技術】
【０００２】
電力用保護リレー装置では、事故発生時に動作するリレー要素は多岐に渡るので、事故発生を係員に報知する操作表示パネルには、１つの故障表示ランプ（以下、「ＬＥＤ」と記す）に複数のリレー動作表示や関連するリレー動作表示を兼用させる形で、複数のＬＥＤが設けられる。
【０００３】
そして、操作表示パネルの故障表示方法として、事故発生によるリレー動作時に点灯させたＬＥＤを、そのまま継続して点灯状態にすると、その後にリレー動作が発生した場合に後続の事故発生が不明となるので、再度の事故発生表示に備えるために、係員は、事故発生を記録するなどして確認すると、操作表示パネルに設けてあるリセット釦を操作して当該点灯ＬＥＤを消灯するようにしている。
【０００４】
この場合、実際の運用においては、リセット釦を操作して消灯させたＬＥＤの点灯原因となったリレー動作について解析する等のために、再度の確認表示をしたい場合が往々にしてある。しかし、電力用保護リレー装置でのリレー動作時の故障表示では、上記した再度の事故発生表示を可能とするために、リレー動作要素をラッチしてＬＥＤを点灯し、そのラッチをリセット釦の操作でリセットして点灯ＬＥＤを消灯する方式である。そして、従来では、ラッチをリセットすると、当該消灯させたＬＥＤの表示内容が消去されるために、点灯したＬＥＤの表示内容確認前にリセット釦を操作してしまうと、再度の確認表示ができないことが起こる。
【０００５】
この事故履歴の再現表示に関し、例えば特許文献１では、変電所において、電子計算機を使用して収集した電力系統の状態と電力系統機器の動作履歴とを別置きの表示装置に表示する技術が提案されている。
【０００６】
【特許文献１】特開平９−２００９５９号公報
【発明の開示】
【発明が解決しようとする課題】
【０００７】
しかし、上記した特許文献１に記載の技術は、変電所全体としての事故履歴を表示する方式であるので、多数ある電力系統機器個々の動作履歴の表示は、限られた範囲に限定されざるを得ず、電力系統機器個々の動作解析に必要な詳細故障表示は行えない。
【０００８】
電力用保護リレー装置でも、一応、配置される変電所などのシステム全体としての事故履歴も収集保存するが、メインは、自装置内の多数の保護リレー機能を管理することにあり、電力用保護リレー装置が備える操作表示パネルに、その多数の保護リレー機能についての詳細な故障表示が行えるようにすることであるので、上記特許文献１に記載の技術は採用できない。
【０００９】
この発明は、上記に鑑みてなされたものであり、電力用保護リレー装置の操作表示パネルに、指定された事故履歴を選択表示する際に、指定された事故の発生当時におけるリレー状態を事故発生時そのままの状態で再現して表示することのできる事故履歴表示装置を得ることを目的とする。
【課題を解決するための手段】
【００１０】
上述した目的を達成するために、この発明にかかる事故履歴表示装置は、電力用保護リレー装置において、操作表示パネルで行われた釦操作の内容を判定する釦操作判定部と、前記釦操作判定部の判定結果が事故履歴の表示指定であるとき、事故履歴記録領域から該表示指定の事故履歴に関わる故障表示ランプの表示情報を含むリレー内部情報を取得する表示情報取得部と、前記表示情報取得部が取得した前記故障表示ランプの表示情報を含むリレー内部情報を前記操作表示パネルが備える故障表示ランプと表示器とに表示する制御を行う表示制御部とを備えていることを特徴とする。
【発明の効果】
【００１１】
この発明によれば、電力用保護リレー装置の操作表示パネルに、指定された事故履歴を選択表示する際に、事故発生当時の故障表示ランプの表示情報を含めたリレー内部情報も表示するので、事故発生当時のリレー状態を事故発生時そのままの状態で再現して表示することができるという効果を奏する。
【発明を実施するための最良の形態】
【００１２】
以下に図面を参照して、この発明にかかる事故履歴表示装置の好適な実施の形態を詳細に説明する。
【００１３】
実施の形態１．
図１は、この発明の実施の形態１による電力用保護リレー装置が備える事故履歴表示装置の構成を示すブロック図である。図２は、図１に示すリレー事故履歴記録領域に格納される事故履歴の一例を示す図である。図３は、電力用保護リレー装置が備える操作表示パネルの構成例を示す正面図である。
【００１４】
図１に示すように、この実施の形態１による事故履歴表示装置１ａは、パネル釦操作検出部２と、操作判定部３と、表示制御部４と、表示情報取得部５と、リレー事故履歴記録領域６とを備える。表示制御部４が表示制御を行うＬＥＤ７と表示器（以降、「ＬＣＤ」と記す）８は、図３に示すように操作表示パネル１９に配置されているものである。操作表示パネル１９には、操作釦９も配置されている。パネル釦操作検出部２は、この操作釦９の操作を検出する。
【００１５】
図３に示すように、操作表示パネル１９には、ＬＥＤ７として、ＲＵＮ（運転）表示用ＬＥＤの他に、ＡＬＡＲＭ、ＴＲＩＰ、ＯＣ１ＰＦ、ＯＣ１ＥＦなど、多数の故障表示用ＬＥＤが配置されている。また、操作釦９は、ＬＣＤ８に対する指示を入力するもので、例えば、矢印が上下左右に向いた４つのシフトキーと、その中央に配置されるエンターキーＥと、ＳＥＴキーと、クリアキーＣとで構成される。このクリアキーＣは、点灯ＬＥＤを消灯させるリセットキーとしても用いられる。
【００１６】
ＬＣＤ８には、エンターキーＥの操作によって、ＦＡＵＬＴ  ＲＥＣが含まれるメニュー画面が表示される。そのメニュー画面において、シフトキーの操作によってＦＡＵＬＴ  ＲＥＣを選択すると、多数ある現象番号の一覧、事故発生時刻の一覧が表示される。シフトキーの操作によってその一覧の中の１つを選択し、ＳＥＴキーを操作すると、選択が確定する。
【００１７】
操作判定部３は、パネル釦操作検出部２が検出するこれらの操作釦９の操作内容を判定する。操作判定部３は、判定結果として、パネル釦操作検出部２から取得したＳＥＴキーの操作が行われて確定した現象番号或いは事故発生時刻を表示情報取得部５に出力し、ＳＥＴキーの操作が行われるまでにパネル釦操作検出部２から取得したキー操作内容は、図１では示してないが、表示制御部４に出力するようになっている。
【００１８】
リレー事故履歴記録領域６は、当該電力用保護リレー装置が備える記憶装置内に特定した記録領域である。リレー事故履歴記録領域６は、図２に示すように、多数の事故履歴記録領域＃１〜＃ｎに区分され、それぞれに、事故発生時の各種のリレー内部情報（１２〜１７）が、現象番号１０、或いは、事故発生時刻１１によって選択指定できるように格納されている。表示情報取得部５には、操作判定部３から、この現象番号１０或いは事故発生時刻１１が通知される。
【００１９】
リレー内部情報（１２〜１７）を簡単に説明する。リレー起動要因１２は、あるリレー要素が起動した時の要素を示す情報である。リレー動作時のＬＥＤ情報１３は、リレー動作時にＬＥＤ７の中で点灯しているＬＥＤと消灯しているＬＥＤを示す表示情報である。整定情報１４は、リレー動作時の整定情報である。ＤＩデータ１５は、リレー外部からの制御信号である。ＡＩデータ１６は、ＣＴやＰＴが送電線から取り込んだ電流信号や電圧信号をディジタル化した信号である。ＯＮ／ＯＦＦデータ１７は、リレー要素などの出力を示すデータ信号である。これらの中でリレー動作時のＬＥＤ情報１３と、整定情報１４と、ＤＩデータ１５との３つは、この実施の形態にて追加したリレー内部情報である。
【００２０】
次に、図１〜図３を参照して図４に沿って事故履歴表示動作を説明する。図４は、図１に示す事故履歴表示装置の表示動作を説明するフロー図ある。図４において、ＳＴ１では、操作判定部３は、パネル釦操作検出部２から取得したキー操作内容に、事故履歴の表示指定があるか否かを判断する。その結果、事故履歴の表示指定があると（ＳＴ１：Ｙｅｓ）、操作判定部３は、指定された事故履歴を特定する現象番号１０或いは事故発生時刻１１を表示情報取得部５に出力する（ＳＴ２）。
【００２１】
表示情報取得部５は、操作判定部３から受け取った現象番号１０或いは事故発生時刻１１に基づきリレー事故履歴記録領域６から指定された事故履歴のリレー内部情報（１２〜１７）を読み出し、表示制御部４に出力する（ＳＴ３）。ここでは、表示情報取得部５は、リレー起動要因１２からＯＮ／ＯＦＦデータ１７までを一つずつ読み出して表示制御部４に出力する（ＳＴ４）としている。
【００２２】
これによって、操作表示パネル１９では、ＬＥＤ７とＬＣＤ８とに、ユーザが指定した事故の発生当時におけるリレー動作情報が事故発生時そのままの状態で再現して表示される。
【００２３】
このように、実施の形態１によれば、操作表示パネルに指定された事故履歴を選択表示する際に、事故発生当時のＬＥＤ表示情報を含めたリレー内部情報も表示するので、事故発生当時のリレー状態を事故発生時そのままの状態で再現して表示することができる。
【００２４】
実施の形態２．
図５は、この発明の実施の形態２による電力用保護リレー装置が備える事故履歴表示装置の構成を示すブロック図である。なお、図５では、図１（実施の形態１）に示した構成要素と同一ないしは同等である構成要素には同一の符号が付されている。ここでは、この実施の形態２に関わる部分を中心に説明する。
【００２５】
リレー事故履記録歴領域６は、新しいリレー動作が発生すると、その新しい事故履歴が過去の事故履歴に上書き保存されるので、実施の形態１に示した構成では、次のリレー動作が発生するまでは、過去の事故履歴を再現表示できるが、次のリレー動作が発生した後では、過去のリレー動作時を再現表示させることができなくなる。
【００２６】
そこで、図５に示すように、この実施の形態２による事故履歴表示装置１ｂでは、図１（実施の形態１）に示した構成において、表示情報取得部５がアクセスするリレー事故履歴保存領域２１が追加されている。このリレー事故履歴保存領域２１もリレー事故履記録歴領域６と同様に、当該電力用保護リレー装置が備える記憶装置内の特定した記録領域である。
【００２７】
次に、図５を参照しつつ図６に沿って、動作を説明する。図６は、図５に示す事故履歴表示装置の表示動作を説明するフロー図である。図６において、ＳＴ１０では、操作判定部３は、パネル釦操作検出部２から取得したキー操作内容に、事故履歴の保存指定があるか否かを判断する。その結果、事故履歴の保存指定があると（ＳＴ１０：Ｙｅｓ）、操作判定部３は、指定された保存事故履歴を特定する現象番号１０或いは事故発生時刻１１を表示情報取得部５に出力する（ＳＴ１１）。
【００２８】
表示情報取得部５は、操作判定部３から受け取った現象番号１０或いは事故発生時刻１１に基づきリレー事故履歴記録領域６から指定された保存事故履歴を読み出し、リレー事故履歴保存領域２１に転送して保存する（ＳＴ１２）。
【００２９】
その後、操作判定部３は、パネル釦操作検出部２から取得したキー操作内容に、保存指定された事故履歴の表示指定があるか否かを判断する（ＳＴ１３）。その結果、保存事故履歴の表示指定があると（ＳＴ１３：Ｙｅｓ）、操作判定部３は、指定された保存事故履歴を特定する現象番号１０或いは事故発生時刻１１を表示情報取得部５に出力する（ＳＴ１４）。
【００３０】
表示情報取得部５は、操作判定部３から受け取った現象番号１０或いは事故発生時刻１１に基づきリレー事故履歴保存領域２１から指定された事故履歴のリレー内部情報（１２〜１７）を読み出し、表示制御部４に出力する（ＳＴ１５）。
【００３１】
このように、実施の形態２によれば、新しい事故履歴が上書きされては困るような残したい事故履歴をユーザが指定すると、別に設けたリレー事故履歴保存領域にその残したい事故履歴を保存するので、新しいリレー動作が発生しても、過去のリレー動作時を再現表示させることができる。
【００３２】
実施の形態３．
図７は、この発明の実施の形態３による電力用保護リレー装置が備える事故履歴表示装置の構成を示すブロック図である。なお、図７では、図１（実施の形態１）に示した構成要素と同一ないしは同等である構成要素には同一の符号が付されている。ここでは、この実施の形態３に関わる部分を中心に説明する。
【００３３】
この実施の形態３では、複数回の再閉路が行われた場合の該当ＬＥＤの履歴表示について示す。図７に示すように、この実施の形態３による事故履歴表示装置１ｃでは、図１（実施の形態１）に示した構成において、事故検出部２５とリレー内部情報取得部２６とが追加して示されている。
【００３４】
事故検出部２５は、当該電力用保護リレー装置が備える機能部であり、事故発生３６を検出すると、Ｔｒｉｐ信号を図示しない遮断器へ出力する。すると、図３に示したＴＲＩＰ用ＬＥＤなど当該事故発生３６に関連するＬＥＤが点灯する。
【００３５】
リレー内部情報取得部２６は、事故検出部２５が事故発生３６を検出すると、リレー動作時のリレー内部情報（図２に示した１２〜１７）を取得し、それをリレー事故履歴記録領域６に書き込む構成を有している。
【００３６】
ここで、複数回の再閉路が行われる事故発生について簡単に説明する。図８は、再閉路が行われる系統事故を説明する電力系統の構成例を示す図である。図８（ａ）は、通常運転時の電力系統構成を示し、図８（ｂ）は、系統故障発生時の電力系統構成を示す。図８において、発電機３１には、送電線３５が接続され、この送電線３５には、遮断器３２，３３，３４が設けられている。
【００３７】
例えば、遮断器３３，３４の間の送電線で地絡事故３６が発生すると、遮断器３３，３４の直近に設けられている電力用保護リレー装置が地絡事故３６の発生を検出し、その電力用保護リレー装置から出力されるＴｒｉｐ信号が遮断器３３，３４に伝達され、図８（ｂ）に示すように、遮断器３３，３４が開路して、事故発生区間の送電を遮断する。
【００３８】
そして、遮断器３３，３４の直近に設けられている電力用保護リレー装置は、事故発生後短時間のうちに、遮断器３３，３４を閉路して通常運転時の状態に戻すが、その時に地絡事故３６が継続している場合は、再度、電力用保護リレー装置からＴｒｉｐ信号が出力され、遮断器３３，３４が開路して、事故発生区間の送電を遮断する。地絡事故３６が継続している場合は、このように、複数回の再閉路が行われる。
【００３９】
図９は、再閉路が行われる場合のＴｒｉｐ信号の遷移と図７に示す事故履歴表示装置１ｃによるＴｒｉｐ信号の履歴表示とを説明する図である。図９（ａ）では、２回の事故が発生した場合のＴｒｉｐ信号の遷移を示している。Ｔｒｉｐ１回目で出力されるＴｒｉｐ信号は故障相がＡである場合のものであり、Ｔｒｉｐ２回目で出力されるＴｒｉｐ信号は故障相がＢである場合のものである。この場合、Ｔｒｉｐ１回目とＴｒｉｐ２回目との時間間隔は、数１０ｍｓ程度であるので、これを表示するＬＥＤを確認する係員には、Ｔｒｉｐ２回目においては、故障相Ａと故障相Ｂとが重なって視認され、区別できない。
【００４０】
これに対して、この実施の形態３では、図７に示したように、リレー内部情報取得部２６が、事故検出部２５の事故検出に応答して、Ｔｒｉｐ１回目、Ｔｒｉｐ２回目それぞれでのリレー動作時のリレー内部情報を取得し、リレー事故履歴記録領域６に書き込むようにしてあるので、図９（ｂ）に示すように、ユーザが、Ｔｒｉｐ１回目を指定すると、故障相Ａを表示し、Ｔｒｉｐ２回目を指定すると、故障相Ｂを表示することができるようになる。
【００４１】
このように、この実施の形態３によれば、複数回の再閉路が行われる事故発生に対しては、リレー動作毎の事象として事故履歴を表示させることができるので、事故内容の確認が容易に行えるようになる。
【００４２】
実施の形態４．
図１０は、この発明の実施の形態４による電力用保護リレー装置が備える事故履歴表示装置の構成を示すブロック図である。この実施の形態４では、リレー動作時に点灯させたＬＥＤの消し忘れを防止する構成例を示す。
【００４３】
図１０に示すように、この実施の形態４による事故履歴表示装置１ｄは、ＬＥＤの消し忘れを防止する構成として、ＬＥＤ情報取得部４０と、ＬＥＤ情報取得部４０の出力が入力するＬＥＤ表示情報判定部４１とを備えている。表示制御部４は、ＬＥＤ表示情報判定部４１からＬＥＤを指定したリセット指令が入力される構成である。
【００４４】
次に、図１０を参照しつつ図１１に沿って、この実施の形態４による消し忘れ防止動作を説明する。図１１は、図１０に示す事故履歴表示装置の表示動作を説明するフロー図である。ＬＥＤ情報取得部４０は、所定の周期で、操作表示パネル１９のＬＥＤ７に表示させるＬＥＤ情報を収集し、その中に、点灯しているＬＥＤがある場合に、そのＬＥＤ情報をＬＥＤ表示情報判定部４１に出力する。
【００４５】
そうすると、図１１において、ＬＥＤ表示情報判定部４１は、まず、ＬＥＤ情報取得部４０が取得したＬＥＤ情報の中に、所定時間継続して点灯しているＬＥＤの存在有無を調べる（ＳＴ１７）。点灯時間が所定時間を超えていない場合は（ＳＴ１７：Ｎｏ）、何もせず次回の判定処理に移行するが、点灯時間が所定時間を超えている場合は（ＳＴ１７：Ｙｅｓ）、次に、その点灯継続時間が許容できる最大時間（ＭＡＸ時間）を超えているか否かを調べる（ＳＴ１８）。
【００４６】
その結果、ＬＥＤ表示情報判定部４１は、その点灯継続時間がＭＡＸ時間を超えない場合は（ＳＴ１８：Ｎｏ）、何もせず次回の判定処理に移行するが、その点灯継続時間がＭＡＸ時間を超える場合は（ＳＴ１８：Ｙｅｓ）、その点灯継続ＬＥＤを指定したリセット指令を表示制御部４に出力する。これによって、表示制御部４が、消し忘れて点灯を継続しているＬＥＤを消灯させる（ＳＴ１９）。
【００４７】
すなわち、前記したように、操作表示パネル１９のＬＥＤ７の点灯・消灯方式は、リレー動作要素がラッチされることで点灯し、そのラッチを係員によるリセットキーの操作でリセットすることで消灯する方式であるので、リレー動作時に点灯させたＬＥＤを係員が消し忘れると、再度の事故発生表示の内容が不明となる。
【００４８】
これに対して、この実施の形態４によれば、リレー動作時に点灯させたＬＥＤを、係員が消灯させなくとも、数時間後に自動的に消灯するので、再度の事故発生表示が可能になる。そして、自動的に消灯させたＬＥＤでも、前に記録されたＬＥＤ情報は事故履歴記録領域７に保存してあるので、支障なく再現表示ができる。
【００４９】
実施の形態５．
図１２は、この発明の実施の形態５による電力用保護リレー装置が備える事故履歴表示装置の構成を示すブロック図である。なお、図１２では、図１（実施の形態１）に示した構成要素と同一ないしは同等である構成要素には同一の符号が付されている。ここでは、この実施の形態５に関わる部分を中心に説明する。
【００５０】
この実施の形態５では、ユーザが指定する事故履歴の表示中に生じたリレー動作によるリレー内部情報の操作表示パネル１９への表示方法（その１）を説明する。
【００５１】
図１２に示すこの実施の形態５による事故履歴表示装置１ｅは、図１（実施の形態１）に示した構成において、リレー内部情報取得保存部４５が追加され、符号を変えた表示情報取得部４６が設けられている。
【００５２】
リレー内部情報取得保存部４５は、当該電力用保護リレー装置が備えている機能部であり、当該電力用保護リレー装置内に生じたリレー動作によるリレー内部情報（図２に示した１２〜１７）を収集保存する。
【００５３】
表示情報取得部４６は、図１（実施の形態１）に示した表示情報取得部５の機能に加えて、事故履歴記録領域６にアクセスして表示指定された事故履歴の表示を行っている最中に、リレー内部情報取得保存部４５にリレー内部情報が保存されているか否かを調べる機能と、リレー内部情報が保存されている場合に表示指定された事故履歴の表示終了後、直ちに、アクセス対象をリレー内部情報取得保存部４５に切り替えて実行する機能とが追加されている。
【００５４】
次に、図１２を参照しつつ図１３に沿って、この実施の形態５による事故履歴表示動作を説明する。図１３は、図１２に示す事故履歴表示装置の表示動作を説明するフロー図である。
【００５５】
図１３において、表示情報取得部４６による表示指定された事故履歴の表示中（ＳＴ２１：Ｙｅｓ）は、リレー動作が発生しても、そのリレー内部情報は収集されるが、その収集したリレー内部情報を直ちに事故履歴記録領域６に書き込むことができないので、その発生したリレー動作に関わるリレー内部情報は、リレー内部情報取得保存部４５に保存される（ＳＴ２２）。
【００５６】
表示情報取得部４６は、事故履歴記録領域６にアクセスして表示指定された事故履歴の表示を終了した際（ＳＴ２３：Ｙｅｓ）、リレー内部情報取得保存部４５に、当該事故履歴の表示中に生じたリレー動作によるリレー内部情報が保存されている場合は、表示指定された事故履歴の表示動作を終了すると、直ちにアクセス対象をリレー内部情報取得保存部４５に切り替えて、リレー内部情報取得保存部４５から、表示指定された事故履歴の表示中に生じたリレー動作によるリレー内部情報を取得して表示制御部４に出力する（ＳＴ２４）。
【００５７】
この実施の形態５によれば、ユーザが指定する事故履歴の表示中に新たな事故が発生した場合、操作表示パネルに、ユーザが指定する事故履歴の表示終了後であるが、その新たな事故発生によるリレー内部情報を確実に再現表示できるので、漏れなく事故内容の確認を行うことができる。
【００５８】
実施の形態６．
図１４は、この発明の実施の形態６による電力用保護リレー装置が備える事故履歴表示装置の構成を示すブロック図である。なお、図１４では、図１（実施の形態１）に示した構成要素と同一ないしは同等である構成要素には同一の符号が付されている。ここでは、この実施の形態６に関わる部分を中心に説明する。
【００５９】
この実施の形態６では、ユーザが指定する事故履歴の表示中に生じたリレー動作によるリレー内部情報の操作表示パネル１９への表示方法（その２）を説明する。
【００６０】
図１４に示すこの実施の形態６による事故履歴表示装置１ｆは、図１（実施の形態１）に示した構成において、事故検出部２５とリレー内部情報取得保存部４５が追加され、符号を変えた表示情報取得部４８が設けられている。
【００６１】
事故検出部２５とリレー内部情報取得保存部４５は、前記したように、当該電力用保護リレー装置が備えている機能部である。表示情報取得部４８は、図１（実施の形態１）に示した表示情報取得部５の機能に加えて、事故履歴記録領域６にアクセスして表示指定された事故履歴の表示を行っている最中に、事故検出部２５から事故発生通知が入力されると、直ちに、アクセス対象をリレー内部情報取得保存部４５に切り替えて実行する機能が追加されている。
【００６２】
次に、図１４を参照しつつ図１５に沿って、この実施の形態６による事故履歴表示動作を説明する。図１５は、図１４に示す事故履歴表示装置の表示動作を説明するフロー図である。
【００６３】
図１５において、表示情報取得部４８による表示指定された事故履歴の表示中（ＳＴ３０：Ｙｅｓ）に、表示情報取得部４８は、事故検出部２５から事故発生通知を受けたときは（ＳＴ３１：Ｙｅｓ）、当該表示指定された事故履歴の表示を中止し（ＳＴ３２）、直ちに、アクセス対象をリレー内部情報取得保存部４５に切り替えて、リレー内部情報取得保存部４５から新たなリレー動作によるリレー内部情報を取得して表示制御部４に出力する（ＳＴ３３）。
【００６４】
この実施の形態６によれば、ユーザが指定する事故履歴の表示中に新たな事故が発生した場合、操作表示パネルに、直ちに、その新たな事故発生によるリレー内部情報を再現表示できるので、リアルタイムに事故内容の確認を行うことができる。
【産業上の利用可能性】
【００６５】
以上のように、この発明にかかる事故履歴表示装置は、電力用保護リレー装置の操作表示パネルに、指定された事故履歴を選択表示する際に、指定された事故の発生当時におけるリレー状態を事故発生時そのままの状態で再現して表示することのできる事故履歴表示装置として有用である。
【図面の簡単な説明】
【００６６】
【図１】この発明の実施の形態１による電力用保護リレー装置が備える事故履歴表示装置の構成を示すブロック図である。
【図２】図１に示すリレー事故履歴記録領域に格納される事故履歴の一例を示す図である。
【図３】電力用保護リレー装置が備える操作表示パネルの構成例を示す正面図である。
【図４】図１に示す事故履歴表示装置の表示動作を説明するフロー図ある。
【図５】この発明の実施の形態２による電力用保護リレー装置が備える事故履歴表示装置の構成を示すブロック図である。
【図６】図５に示す事故履歴表示装置の表示動作を説明するフロー図である。
【図７】この発明の実施の形態３による電力用保護リレー装置が備える事故履歴表示装置の構成を示すブロック図である。
【図８】再閉路が行われる系統事故を説明する電力系統の構成例を示す図である。
【図９】再閉路が行われる場合のＴｒｉｐ信号の遷移と図７に示す事故履歴表示装置によるＴｒｉｐ信号の履歴表示とを説明する図である。
【図１０】この発明の実施の形態４による電力用保護リレー装置が備える事故履歴表示装置の構成を示すブロック図である。
【図１１】図１０に示す事故履歴表示装置の表示動作を説明するフロー図である。
【図１２】この発明の実施の形態５による電力用保護リレー装置が備える事故履歴表示装置の構成を示すブロック図である。
【図１３】図１２に示す事故履歴表示装置の表示動作を説明するフロー図である。
【図１４】この発明の実施の形態６による電力用保護リレー装置が備える事故履歴表示装置の構成を示すブロック図である。
【図１５】図１４に示す事故履歴表示装置の表示動作を説明するフロー図である。
【符号の説明】
【００６７】
１ａ，１ｂ，１ｃ，１ｄ，１ｅ，１ｆ  事故履歴表示装置
２  パネル釦操作検出部
３  操作判定部
４  表示制御部
５，４６，４８  表示情報取得部
６  リレー事故履歴記録領域
７  故障表示ランプ（ＬＥＤ）
８  表示器（ＬＣＤ）
９  操作釦
１９  操作表示パネル
２１  リレー事故履歴保存領域
２５  事故検出部
２６  リレー内部情報取得部
４０  ＬＥＤ情報取得部
４１  ＬＥＤ表示情報判定部
４５  リレー内部情報取得保存部
【図１】
2010028931.tif 000003
【図２】
2010028931.tif 000004
【図３】
2010028931.tif 000005
【図４】
2010028931.tif 000006
【図５】
2010028931.tif 000007
【図６】
2010028931.tif 000008
【図７】
2010028931.tif 000009
【図８】
2010028931.tif 000010
【図９】
2010028931.tif 000011
【図１０】
2010028931.tif 000012
【図１１】
2010028931.tif 000013
【図１２】
2010028931.tif 000014
【図１３】
2010028931.tif 000015
【図１４】
2010028931.tif 000016
【図１５】
2010028931.tif 000017